(57)【要約】【課題】従来、コネクタ保持体の中仕切り壁の端縁全体に端壁を設けている。この端壁を相手方のコネクタの挿入空洞に挿入するために挿入空洞を広くする必要があり、相手方のコネクタが大型になる。【解決手段】コネクタ保持体１の中仕切り壁４の第１および第２の端縁１３，１４の後部のみから第１および第２の側方Ｘ１，Ｘ２に向けて第１および第２のコネクタ端縁用の保持片１５，１６を延設する。コネクタ保持体１に一対のコネクタ２，３を組み付けたコネクタ組立体の前半部を相手方のベースコネクタの挿入空洞に挿入するときに、コネクタ端縁用の保持片１５，１６が挿入空洞に挿入されないようにする。【選択図】  図１
2004241315.tif 000002
【特許請求の範囲】
【請求項１】
第１および第２の側方にそれぞれ開放する第１および第２のコネクタ保持用側面を有する中仕切り壁と、
中仕切り壁の前縁から第１および第２の側方へそれぞれ延びる第１および第２のコネクタ前縁用の保持片と、
中仕切り壁の各端縁の後部のみから第１および第２の側方へそれぞれ延びる第１および第２のコネクタ端縁用の保持片とを備え、
各保持片は対応するコネクタへの係合手段を含むことを特徴とするコネクタ保持体。
【請求項２】
請求項１において、上記第１および第２のコネクタ前縁用の保持片が、本コネクタ保持体により保持されるコネクタが相手方のコネクタの挿入空洞に逆向きで挿入されることを防止するための逆差し防止片として機能することを特徴とするコネクタ保持体。
【発明の詳細な説明】
【０００１】
【発明の属する技術分野】
本発明は中仕切り壁の両側に一対のコネクタを受容保持するためのコネクタ保持体に関する。
【０００２】
【従来の技術】
この種のコネクタ保持体として、特許文献１に示すものがある。特許文献１のコネクタ保持体は、両側に一対の雄コネクタを保持する中仕切り壁と、この中仕切り壁の前縁全体から両側方へ延びる前壁と、中仕切り壁の一対の端縁全体からそれぞれ両側方へ延びる各一対の端壁とを備え、これら相交差する３つの壁（中仕切り壁、前壁および側壁）によって、対応する雄コネクタを保持する。
【０００３】
【特許文献１】
実公平７−２９５８２号公報
【０００４】
【発明が解決しようとする課題】
特許文献１のコネクタ保持体に一対の雄コネクタを保持した雄コネクタ組立体の前半部が、相手方の雌コネクタの挿入空洞に挿入されるときに、コネクタ保持体の中仕切り壁の端縁全体に設けられている各一対の端壁も挿入空洞内に挿入されることになる。
これらの端壁を挿入しなければならない分、挿入空洞が広くする必要があり、相手方の雌コネクタが大型化する。
【０００５】
本発明は上記課題に鑑みてなされたものであり、保持されるコネクタの相手方のコネクタの小型化を図ることができるコネクタ保持体を提供することを目的とする。
【０００６】
【課題を解決するための手段及び発明の効果】
上記課題を解決するため、第１発明は、第１および第２の側方にそれぞれ開放する第１および第２のコネクタ保持用側面を有する中仕切り壁と、中仕切り壁の前縁から第１および第２の側方へそれぞれ延びる第１および第２のコネクタ前縁用の保持片と、中仕切り壁の各端縁の後部のみから第１および第２の側方へそれぞれ延びる第１および第２のコネクタ端縁用の保持片とを備え、各保持片は対応するコネクタへの係合手段を含むことを特徴とするものである。
【０００７】
本発明では、コネクタ端縁用の保持片を中仕切り壁の後部のみから延設したので、本コネクタ保持体により保持した一対のコネクタを相手方のコネクタの挿入空洞に挿入するときに、コネクタ端縁用の保持片が挿入空洞に挿入されないようにすることが可能となる。その結果、相手方のコネクタの小型化を図ることができる。また、中仕切り壁の前縁全体や端縁全体に保持片を設ける従来の場合と比較して、軽量、小型化でき、また、材料コストの削減を通じて製造コストを安価にすることができる。
【０００８】
第２発明は、第１発明において、上記第１および第２のコネクタ前縁用の保持片が、本コネクタ保持体により保持されるコネクタが相手方のコネクタの挿入空洞に逆向きで挿入されることを防止するための逆差し防止片として機能することを特徴とするものである。
本発明では、本コネクタ保持体により保持したコネクタを相手方のコネクタの挿入空洞に挿入するときに、各コネクタ前縁用の保持片の挿入を案内する凹溝を挿入空洞内に設けておけば、本コネクタ保持体により保持したコネクタが逆差しされることを容易に防止することができる。コネクタ前縁用の保持片を逆差し防止片として機能させることで、構造の簡素化を図ることができる。
【０００９】
【発明の実施の形態】
本発明の好ましい実施の形態について添付図面を参照しつつ説明する。
図１は本発明の一実施の形態のコネクタ保持体１とこれにより保持される一対のコネクタ２，３（ソケットコネクタ）の分解斜視図である。図１を参照して、コネクタ保持体１は合成樹脂の一体成形品からなり、主要部として矩形板状をなす中仕切り壁４を備える。この中仕切り壁４は、相対向する第１および第２のコネクタ保持用側面５，６（以下では、単に第１および第２の側面５，６ともいう）を有し、第１および第２の側面５，６は、第１および第２の側方Ｘ１，Ｘ２にそれぞれ開放する。
【００１０】
中仕切り壁２の前縁７の一部から第１および第２の側方Ｘ１，Ｘ２へ向けて第１および第２のコネクタ前縁用の保持片８，９が延設されている。第１および第２のコネクタ前縁用の保持片８，９は各一対が設けられ、それぞれ接触子挿通孔１０を貫通形成していると共に、対応するコネクタ２，３の前縁１１に係止するための係止手段としての係止爪１２を有している。
第１および第２のコネクタ前縁用の保持片８，９は、後述する逆差し防止片として機能する。逆差し防止片として機能させるためには、第１および第２のコネクタ前縁用の保持片８，９の位置、幅、個数、配置間隔等を相異ならせることが考えられるが、本実施の形態では、コネクタ保持体１の中仕切り壁４の前縁７に沿う方向Ｙに関して第１および第２のコネクタ前縁用の保持片８，９の配置位置を相異ならせると共に、一対の第１のコネクタ前縁用の保持片８の配置間隔Ｐ１と一対の第２のコネクタ前縁用の保持片９の配置間隔Ｐ２とを相異ならせる例に則して説明する。
【００１１】
中仕切り壁４の第１および第２の端縁１３，１４の後部のみから、第１および第２の側方Ｘ１，Ｘ２へ向けて、各一対の複数の第１および第２のコネクタ端縁用の保持片１５，１６がそれぞれ延設されている。これらの保持片１５，１６はそれぞれ対応するコネクタ２，３の対応する端縁１７，１８の縦リブ１９に係合する係合手段としての係合溝２０を有している。
中仕切り壁４の後縁２１には、第１および第２の側面５，６からそれぞれ対応する第１および第２の側方Ｘ１，Ｘ２へ突出する係合突起２２が形成されている。各係合突起２２は、対応するコネクタ２，３の後縁段部２３に係合して、対応するコネクタ２，３の抜脱を防止する
中仕切り壁４の第１の端縁１３には、前後に延びる複数の案内リブ２４が形成され、第２の端縁１４には同じく前後に延びる案内リブ２５が形成されている。これらの案内リブ２４，２５は、第１および第２のコネクタ端縁用の保持片１５，１６の近傍まで達している。
【００１２】
また、中仕切り壁４の第１および第２の側面５，６には、後縁２１から所定長さで前方へ延びる案内溝２６が形成されている。案内溝２６は対応するコネクタ２，３の対応するリブ２７を導入することで、対応するコネクタ２，３のコネクタ保持体１への装着を案内する。
図２に示すように、対応するコネクタ２，３がコネクタ保持体１に装着されることで、コネクタ組立体Ａが構成される。
【００１３】
このコネクタ組立体Ａが相手方のベースコネクタ５０に嵌合された状態を示す図５、およひ図１を参照して、本コネクタ保持体１により保持されるコネクタ２，３は互いに共通する仕様を単に向きを変えて用いてなり、ソケットハウジング２８と、このソケットハウジング２８を縦方向に貫通する横１列に並ぶ複数の収容孔２９にそれぞれ収容保持され、各ケーブル３０の端部を固定したソケット型のコンタクト部材としての端子３１とを備えている。
【００１４】
コネクタ２，３の各ソケットハウジング２８は、コネクタ保持体１の中仕切り壁４の対応する第１および第２の側面５，６にそれぞれ沿わされる第１壁３２と、その反対側の第２壁３３とを備える。
第２壁３３には、矩形板状をなして第２壁３３に略平行に配置されたロック用の弾性アーム３４が設けられている。図５を参照して、弾性アーム３４の中間部は、第２壁３３に突出形成された支持部３５によって弾性をもって揺動変位可能に支持されている。弾性アーム３４の前端にはロック用のフック部３６が設けられると共に、後端には指押さえ部３７が設けられている。
【００１５】
再び図１を参照して、各コネクタ２，３の端縁１７，１８の各縦リブ１９の端部から第１壁３側に向けて横リブ３８延設されており、各横リブ３８は、図２に示すように、コネクタ保持体１の対応するコネクタ端縁用の保持片１５，１６の前端３９にそれぞれ係合する。
次いで、ベースコネクタ５０の平面図および側面図をそれぞれ示す図３（ａ）および（ｂ）を参照して、ベースコネクタ５０について説明する。ベースコネクタ５０は、合成樹脂製のベースハウジング５１と、このベースハウジング５１を貫通する複数の端子５２とを備えている。ベースハウジング５１から下方へ突出する端子６の先端は、図５に示すように、基板５３を貫通して裏面の導電性部材（図示せず）にはんだ付けにより固定され、これにより、各端子５２はベースハウジング５１を基板５３に固定する機能を果たしている。
【００１６】
図３（ａ）および（ｂ）を参照して、ベースハウジング５１は、コネクタ組立体Ａの前半部を挿抜させる挿入空洞５４を有している。挿入空洞５４に、上記複数の端子５２が横並びの２列に整列配置されている。
ベースハウジング５１は底壁５５上に、第１壁５６、第２壁５７、第３壁５８および第４壁５９によって上記の挿入空洞５４を区画している。この挿入空洞５４の開口縁部６０は略矩形形状をなしている。
【００１７】
図１および図２を参照して、各コネクタ２，３の第２壁３３の各端縁にはリブ４０が突出形成され、このリブ４０の端部４１は、コネクタ組立体Ａがベースコネクタ５０に連結されるときに、上記開口縁部６０に当接して、嵌合位置を位置決めするようになっている。
再び図３（ａ）を参照して、ベースハウジング５１の第１および第２壁５６，５７は、コネクタ組立体Ａをベースコネクタ５０に連結するときに、各コネクタ２，３の各弾性アーム３４を導入するための凹部６１を設けており、第１壁５６の凹部６１にのみ、弾性アーム３４のフック部３６に係合するための係合突起６２を設けている。
【００１８】
ベースハウジング５１は、図２のコネクタ組立体Ａの前半部が挿入空洞５４に正規の向きで挿入されるときに、コネクタ保持体１の第１および第２のコネクタ前縁用の保持片８，９をそれぞれ案内する案内凹部６３，６４をそれぞれ第１壁５６および第２壁５７に対応して挿入空洞５４内に有している。
また、ベースハウジング５１は、コネクタ組立体Ａが逆向きで挿入空洞５４に挿入されようとするときに、挿入空洞５４の入口で第１および第２のコネクタ前縁用の保持片８，９をそれぞれ受け止めて逆差しを防止するための受け止め部６５，６６をそれぞれ第２壁５７および第１壁５６に対応して有している。このとき、第１および第２のコネクタ前縁用の保持片８，９は逆差し防止片として機能する。
【００１９】
ベースハウジング５１は、コネクタ組立体Ａが挿入空洞５４に正規の向きで挿入されるときに、コネクタ保持体１の端縁の案内リブ２４，２５をそれぞれ案内する案内凹部６７，６８をそれぞれ第３壁５８および第４壁５９に対応して挿入空洞５４内に有している。
また、ベースハウジング５１は、コネクタ組立体Ａが逆向きで挿入空洞５４に挿入されようとするときに、挿入空洞５４の入口でコネクタ保持体１の端縁の案内リブ２４，２５をそれぞれ受け止めて逆差しを防止するための受け止め部６９，７０をそれぞれ第４壁５９および第３壁５８に対応して有している。
【００２０】
以上の次第で、本実施の形態では、図１に示すように第１および第２のコネクタ端縁用の保持片１５，１６を中仕切り壁４の後部のみから延設したので、本コネクタ保持体１に一対のコネクタ２，３を組み付けたコネクタ組立体Ａを相手方のベースコネクタ５０の挿入空洞５４に挿入するときに、図４に示すように、コネクタ端縁用の保持片１５，１６が挿入空洞５４に挿入されないようにすることが可能となる。
【００２１】
その結果、相手方のベースコネクタ５０の小型化を図ることができる。また、コネクタ保持体１において、中仕切り壁４の前縁７全体や端縁１３，１４全体に保持片を設ける従来の場合と比較して、軽量、小型化でき、また、材料コストの削減を通じて製造コストを安価にすることができる。
しかも、第１および第２のコネクタ前縁用の保持片１５，１６を逆差し防止片として機能させることで、構造の簡素化を図ることができる。
【００２２】
なお、本発明は上記実施の形態に限定されるものではなく、例えば、中仕切り壁２の前縁７全体から第１および第２の側方Ｘ１，Ｘ２へ向けて第１および第２のコネクタ前縁用の保持片８，９を形成しても良く、その他、本発明の特許請求の範囲で種々の変更を施すことができる。
【図面の簡単な説明】
【図１】本発明の一実施の形態のコネクタ保持体と対応する一対のコネクタの分解斜視図である。
【図２】コネクタ保持体に対応する一対のコネクタを組み合わせて構成したコネクタ組立体の斜視図である。
【図３】（ａ）および（ｂ）はコネクタ組立体を嵌合させる相手方のベースコネクタの概略平面図および概略側面図である。
【図４】連結状態のベースコネクタとコネクタ組立体の部分断面側面図である。
【図５】連結状態のベースコネクトのコネクタ組立体の断面図である。
【符号の説明】
１    コネクタ保持体
２，３  対応するコネクタ
４    中仕切り壁
５    第１の（コネクタ保持用の）側面
６    第１の（コネクタ保持用の）側面
７    前縁
８    第１のコネクタ前縁用の保持片（逆差し防止片）
９    第２のコネクタ前縁用の保持片（逆差し防止片）
Ｘ１  第１の側方
Ｘ２  第２の側方
Ｐ１，Ｐ２  配置間隔
１２  係止爪（係止手段）
１３  第１の端縁
１４  第２の端縁
１５  第１のコネクタ端縁用の保持片
１６  第２のコネクタ端縁用の保持片
２０  係合溝（係止手段）
２８  ソケットハウジング
３４  弾性アーム
５０  ベースコネクタ（相手方のコネクタ）
５１  ベースハウジング
５２  端子
５４  挿入空洞
６３，６４，６７，６８  案内凹部
６５，６６，６９，７０  受け止め部
【図１】
2004241315.tif 000003
【図２】
2004241315.tif 000004
【図３】
2004241315.tif 000005
【図４】
2004241315.tif 000006
【図５】
2004241315.tif 000007